(57)【要約】【課題】別部材を用いることなく、リモコンを保持した状態で説明書を視認できるリモコンブラケットを提供すること。【解決手段】リモコンブラケット２０に、リモコン１を保持することができる保持部２４と、弾力性を有することにより、保持部２４に対して一体に形成される固定側部材２２に対する距離を変化させることができると共に、保持部２４でリモコン１を保持する場合には、リモコン１が当接して固定側部材２２との距離が小さくなることにより、固定側部材２２とによって被挟持物である説明書４０を挟持することができる開閉部３０と、を備える。【選択図】図６
2012109701.tif 000002
【特許請求の範囲】
【請求項１】
リモコンを保持することができるリモコン保持部と、
弾力性を有することにより、前記リモコン保持部に対して一体に形成される固定側部材に対する距離を変化させることができると共に、前記リモコン保持部で前記リモコンを保持する場合には、前記リモコンが当接して前記固定側部材との距離が小さくなることにより、前記固定側部材とによって被挟持物を挟持することができる開閉部材と、
を備えることを特徴とするリモコンブラケット。
【請求項２】
前記固定側部材には、前記被挟持物を引掛けることができる突起部が設けられていることを特徴とする請求項１に記載のリモコンブラケット。
【発明の詳細な説明】
【技術分野】
【０００１】
本発明は、リモコンブラケットに関する。
【背景技術】
【０００２】
近年のトイレやテレビ、ルームエアコン、照明等の家庭用電気製品では、遠隔操作を行うことができるようになっているものが多く、遠隔操作に用いる遠隔操作手段であるリモコンが多用されている。このようなリモコンによって操作可能な電気製品は、多機能化が進んでおり、このため、リモコンによって行うことができる操作の種類も多くなり、リモコンの操作も複雑になっている。これにより、従来のリモコンでは、取扱説明書をすぐに確認できるようになっているものがある。
【０００３】
例えば、特許文献１に記載された空気調和装置では、リモコンを保持するリモコンブラケットにおけるリモコンとリモコンブラケットとの間にスペースを設け、リモコンの簡易取扱い説明書を、このスペース内に収容できるようにしている。これにより、リモコンの操作方法を確認したい場合には、リモコンの背面側に収容されている簡易取扱い説明書を取り出して確認することにより、取扱い説明書を確認しながらリモコン操作を行うことができる。
【先行技術文献】
【特許文献】
【０００４】
【特許文献１】特開２００１−４１４９１号公報
【発明の概要】
【発明が解決しようとする課題】
【０００５】
しかし、電気製品やリモコンの種類によっては、リモコンをリモコンブラケットで保持した状態でリモコンの操作を行うものも多く、このようなリモコンにおいて、取扱い説明書がリモコンの背面側に収容されている場合、取扱い説明書を取り出す動作が煩わしくなる場合がある。
【０００６】
一方、リモコンをリモコンブラケットで保持した状態で操作する場合には、取扱い説明書を引っ掛けることができるフックをリモコンブラケットの近傍に設けることにより、取扱い説明書を確認しながらリモコンの操作を行うことができるが、この場合には、リモコンブラケットとは別に、壁にフックを取り付ける必要がある。このため、壁にリモコンブラケットを取り付ける施工者、またはユーザーの手間が、フックを取り付ける分、多くなる。また、リモコンブラケットの他にフックも製造する必要があるため、製造コストの上昇の要因になる場合がある。
【０００７】
本発明は、上記に鑑みてなされたものであって、別部材を用いることなく、リモコンを保持した状態で説明書を視認できるリモコンブラケットを提供することを目的とする。
【課題を解決するための手段】
【０００８】
上述した課題を解決し、目的を達成するために、この発明に係るリモコンブラケットは、リモコンを保持することができるリモコン保持部と、弾力性を有することにより、前記リモコン保持部に対して一体に形成される固定側部材に対する距離を変化させることができると共に、前記リモコン保持部で前記リモコンを保持する場合には、前記リモコンが当接して前記固定側部材との距離が小さくなることにより、前記固定側部材とによって被挟持物を挟持することができる開閉部材と、を備えることを特徴とする。
【０００９】
この発明では、リモコン保持部でリモコンを保持した場合には、開閉部材にリモコンが当接することにより、開閉部材と固定側部材とによって被挟持物を挟持することができる。このため、被挟持物としてリモコンの説明書を用いた場合には、リモコンを保持しつつ、説明書を挟持し、保持することができる。この結果、別部材を用いることなく、リモコンを保持した状態で説明書を視認することができる。
【００１０】
また、上記リモコンブラケットにおいて、前記固定側部材には、前記被挟持物を引掛けることができる突起部が設けられていることが好ましい。
【００１１】
この発明では、固定側部材に突起部が設けられているため、開閉部材と固定側部材とによって挟持する力が弱い場合でも、より確実に被挟持物である説明書を保持することができる。また、説明書を挟持する前に、説明書を突起部に引掛けてからリモコン保持部でリモコンを保持し、説明書を挟持することができるので、容易に説明書を保持することができる。この結果、より容易に、且つ、確実に、別部材を用いることなく、リモコンを保持した状態で説明書を視認することができる。
【発明の効果】
【００１２】
本発明に係るリモコンブラケットは、リモコンの当接によって開閉する開閉部材と固定側部材とによって被挟持物を挟持することができるため、別部材を用いることなく、リモコンを保持した状態で説明書を視認することができる、という効果を奏する。
【図面の簡単な説明】
【００１３】
【図１】図１は、実施形態に係るリモコンブラケットに保持されるリモコンの斜視図である。
【図２】図２は、図１のＡ−Ａ矢視図である。
【図３】図３は、実施形態に係るリモコンブラケットの斜視図である。
【図４】図４は、図３のＢ−Ｂ断面図である。
【図５】図５は、リモコンの操作方法が記載された説明書の斜視図である。
【図６】図６は、リモコンブラケットでリモコンを保持する場合における説明図である。
【図７】図７は、リモコンブラケットでリモコンを保持する状態を示す説明図である。
【図８】図８は、図７のＣ−Ｃ断面図である。
【図９】図９は、図７のＤ−Ｄ断面図である。
【図１０】図１０は、実施形態に係るリモコンブラケットの変形例を示す斜視図である。
【図１１】図１１は、実施形態に係るリモコンブラケットの更なる変形例を示す斜視図である。
【発明を実施するための形態】
【００１４】
以下に、本発明に係るリモコンブラケットの実施形態を図面に基づいて詳細に説明する。なお、この実施形態によりこの発明が限定されるものではない。また、下記実施形態における構成要素には、当業者が置換可能かつ容易なもの、或いは実質的に同一のものが含まれる。
【００１５】
〔実施形態〕
図１は、実施形態に係るリモコンブラケットに保持されるリモコンの斜視図である。図２は、図１のＡ−Ａ矢視図である。なお、以下の説明では、通常の使用態様でリモコンブラケットによってリモコンを保持した場合における上下方向を、本実施形態に係るリモコンブラケットの上下方向とし、このように保持した状態でリモコンを使用者に対面させた場合における左右方向を、本実施形態に係るリモコンブラケットの左右方向として説明する。さらに、リモコンブラケットでリモコンを保持した場合における通常の使用態様で、リモコンが使用者に対面する側を前側とし、使用者から離れる側を後ろ側として説明する。
【００１６】
図１に示すリモコン１は、当該リモコン１から離れた位置に設置される電気製品を遠隔操作が可能な遠隔操作手段として設けられており、このリモコン１は、電気製品の一例として、トイレの洗浄や便座の温度設定等を行うことができるトイレ用のリモコン１として用いられる。このリモコン１は、前面の形状が略矩形状に形成されており、前後方向に所定の厚みを有する、略直方体の形状で形成されている。
【００１７】
このように設けられるリモコン１は、前面に、各種の遠隔操作を行う際に操作をする操作部４と、遠隔操作の内容や、遠隔操作によって調節できる設定状態等を表示できる表示部６と、が設けられている。また、このリモコン１は、左右方向における両側面に、当該リモコン１をリモコンブラケット２０（図３参照）に装着する際にリモコンブラケット２０で保持する部分である被保持部１０が形成されている。
【００１８】
この被保持部１０は、リモコン１の側面に対して、左右方向における内方側に段差を有することにより形成されており、リモコン１の両側面における下端側から上方に向かった所定の位置まで設けられている。また、被保持部１０の上端部分は、リモコン１の下方側に面して形成されており、この部分は当接部１４として設けられている。さらに、被保持部１０は、溝深さがリモコン１の左右方向になると共に、左右方向の端部側に開口して形成される溝部１２を有している。この溝部１２は、被保持部１０が形成される範囲に被保持部１０に沿って形成されており、即ち、溝部１２は、上下方向に延在している。
【００１９】
図３は、実施形態に係るリモコンブラケットの斜視図である。図４は、図３のＢ−Ｂ断面図である。本実施形態に係るリモコンブラケット２０は、略矩形状の板状の形状で形成される固定側部材２２を有しており、この固定側部材２２の左右方向における両側に、リモコン１を保持することができるリモコン保持部である保持部２４を有している。これらの固定側部材２２と保持部２４とは、一体に形成されている。
【００２０】
この保持部２４は、固定側部材２２から、当該固定側部材２２の板厚方向にほぼ直角に折り曲げられることにより、固定側部材２２の板厚方向に突出して形成されており、上下方向における長さが、リモコン１の被保持部１０の上下方向における長さと同程度の長さで形成されている。このように形成される保持部２４の上端部分は、リモコン１をリモコンブラケット２０で保持する際に、リモコン１の被保持部１０に形成される当接部１４に当接する係止部２８となっている。
【００２１】
また、保持部２４の前後方向における固定側部材２２側の端部の反対側の端部は、さらに、左右方向における内側方向に折り曲げられており、この部分は、リモコン１の溝部１２に係合する係合部２６となっている。この係合部２６は、上下方向における所定の範囲に形成されつつ、左右方向における内側方向に突出しており、溝深さがリモコン１の左右方向になる溝部１２に入り込むことにより、溝部１２に係合することが可能になっている。
【００２２】
また、リモコンブラケット２０には、固定側部材２２に対して開閉可能な開閉部材である開閉部３０が設けられている。この開閉部３０は、略矩形状の板状の形状で形成されると共に、固定側部材２２における保持部２４が突出している側の面に、１辺が接続されている。固定側部材２２に対する開閉部３０の接続部分は、左右方向に向かって接続されており、開閉部３０は、この接続部分よりも下方側に位置している。さらに、開閉部３０は、固定側部材２２との接続部分から下方に向うに従って固定側部材２２から離れる向きで形成されている。つまり、開閉部３０は、固定側部材２２に対して所定の距離で離間して形成されている。
【００２３】
また、この開閉部３０は、弾力性を有しており、この弾力性によって固定側部材２２に対する距離が変化することができるように設けられている。
【００２４】
リモコンブラケット２０は、このように形成される開閉部３０を２つ有しており、２つの開閉部３０は、左右方向に並んで配設されると共に、２つの開閉部３０は離間して設けられている。２つの開閉部３０は、このように左右方向に離間して形成されているが、開閉部３０同士の間の部分には、突起部３２が設けられている。この突起部３２は、固定側部材２２における開閉部３０が位置している側の面に設けられると共に、略円柱形状の形状で固定側部材２２の板厚方向に突出して形成されている。
【００２５】
また、このように形成されるリモコンブラケット２０は、スクリュー３６によって、壁面等の所望の位置に取り付けることが可能になっている。即ち、リモコンブラケット２０は、開閉部３０や突起部３２が位置している側が前面になる向きで、壁面等に取り付ける。
【００２６】
図５は、リモコンの操作方法が記載された説明書の斜視図である。リモコン１の操作方法が記載された説明書４０は、紙などに、リモコン１によってトイレを遠隔操作する際における操作方法が簡易的に記載されており、説明書４０の両面に、説明書きが記載されている。この説明書４０の両面の記載は、例えば、一方の面には、トイレの通常使用時における操作方法の説明が記載されており、他方の面には、各種の設定を行う際における操作方法の説明が記載されている。このように、リモコン１の操作方法が記載された説明書４０は、説明書４０の記載を読むことができる向きにした場合における左右方向中央の上端近傍に、説明書４０を貫通する引掛け穴４２が形成されている。この引掛け穴４２は、円柱状の形状でリモコンブラケット２０に形成される突起部３２の径よりも若干大きい径の穴となって形成されている。
【００２７】
また、リモコンブラケット２０に形成される突起部３２は、説明書４０に形成される引掛け穴４２が、当該突起部３２の径よりも若干大きい径の穴となって形成されていることにより、説明書４０を引掛けることが可能になっている。
【００２８】
この実施形態に係るリモコンブラケット２０は、以上のごとき構成からなり、以下、その作用について説明する。図６は、リモコンブラケットでリモコンを保持する場合における説明図である。本実施形態に係るリモコンブラケット２０でリモコン１を保持する場合には、まず、説明書４０の引掛け穴４２に、リモコンブラケット２０が有する突起部３２を通すことにより、突起部３２に説明書４０を引掛ける。このように、突起部３２に説明書４０を引掛ける場合には、説明書４０は、引掛け穴４２側が上方側になる向きで、リモコンブラケット２０の下方側から固定側部材２２と開閉部３０との間に説明書４０を入り込ませ、説明書４０の引掛け穴４２に突起部３２を通す。これにより、突起部３２に説明書４０を引掛ける。
【００２９】
リモコン１は、このように説明書４０を引掛けた状態のリモコンブラケット２０に対して上方側から、操作部４や表示部６が前方側になる向きで、リモコンブラケット２０の左右方向における両端に配設されている保持部２４間に、被保持部１０が入り込むように差し込む。具体的には、リモコン１の被保持部１０に形成される溝部１２に、リモコンブラケット２０の保持部２４に形成される係合部２６を入り込ませる。
【００３０】
溝部１２は、上下方向に延在しており、また、係合部２６は、上下方向における所定の範囲に設けられているため、溝部１２に係合部２６を入り込ませた場合、溝部１２と係合部２６とは、相対的に上下方向に移動させることができる。このため、この状態でリモコン１を下方に移動させた場合には、溝部１２は係合部２６が入り込んだ状態を維持したまま、下方に移動し、被保持部１０の当接部１４は、保持部２４の係止部２８に近付く。
【００３１】
図７は、リモコンブラケットでリモコンを保持する状態を示す説明図である。リモコン１を下方に移動させた場合、リモコン１の被保持部１０に形成されている当接部１４は、リモコンブラケット２０の保持部２４が有する係止部２８に当接する。これにより、リモコン１は、それ以上は下方へは移動しなくなり、また、溝部１２に係合部２６が入り込んでいるため、前後方向にも移動しなくなる。また、リモコン１は、リモコンブラケット２０の左右方向における両端に配設されている保持部２４間に、被保持部１０が入り込むように差し込むため、左右方向にも移動しなくなる。これにより、リモコン１は、リモコンブラケット２０に保持された状態になる。
【００３２】
図８は、図７のＣ−Ｃ断面図である。リモコンブラケット２０は、このようにリモコン１を保持部２４間に差し込むことにより、リモコン１を保持することができるが、リモコンブラケット２０の前後方向における保持部２４が位置している側の面には、開閉部３０が設けられている。このため、溝部１２に係合部２６を入り込ませた状態でリモコン１を下方に移動させた場合、リモコン１は、後方側の面が開閉部３０に当接する。この開閉部３０は、固定側部材２２に対する接続部分から下方に向かうに従って固定側部材２２から離れる向きで形成されており、また、開閉部３０は、弾力性を有している。従って、リモコン１を下方に移動させることによりリモコン１が開閉部３０に当接し、さらにリモコン１を下方に移動させた場合、開閉部３０は、固定側部材２２との距離が小さくなる方向に弾性変形をする。
【００３３】
ここで、リモコンブラケット２０における固定側部材２２と開閉部３０との間には、突起部３２に説明書４０が引掛けられることにより、説明書４０が配置されている。このため、開閉部３０が弾性変形をして、固定側部材２２との距離が近付いた場合には、開閉部３０は説明書４０に接触し、開閉部３０と固定側部材２２とによって説明書４０を挟み込む状態になる。つまり、開閉部３０は、保持部２４でリモコン１を保持する場合には、リモコン１が当接して固定側部材２２との距離が小さくなることにより、固定側部材２２とによって、被挟持物である説明書４０を挟持することができる。
【００３４】
図９は、図７のＤ−Ｄ断面図である。また、開閉部３０と固定側部材２２とによって挟持する状態では、リモコン１は、突起部３２の先端に近接している。このため、説明書４０は、引掛け穴４２が突起部３２から外れることなく、突起部３２が引掛け穴４２に通った状態が維持され、説明書４０が突起部３２に引掛けられている状態が維持される。これらにより、説明書４０は、リモコン１を保持するリモコンブラケット２０によって保持される。
【００３５】
また、このように開閉部３０と固定側部材２２とによって説明書４０を挟持した場合に、説明書４０の挟持部分は、説明書４０の上方部分になっているため、説明書４０は、大部分がリモコンブラケット２０の下方に位置している。従って、説明書４０は、当該説明書４０に記載されている説明書きの読み取りが可能な状態で保持される。
【００３６】
説明書４０は、このようにしてリモコンブラケット２０によって保持することができるが、この説明書４０には、両面に説明書きが記載されている。このため、現在保持されている状態の説明書４０の後ろ側の面の記載を確認する場合には、まず、リモコン１を上方に移動させることにより、リモコンブラケット２０からリモコン１を引き抜く。これにより、リモコン１は、リモコンブラケット２０の開閉部３０から離間するので、開閉部３０は、当該開閉部３０が有する弾性力により、リモコン１を装着する前の状態になる。つまり、開閉部３０は、固定側部材２２との接続部分以外の部分が固定側部材２２から離れ、固定側部材２２との距離が大きくなる。
【００３７】
これにより、リモコンブラケット２０の突起部３２に引掛けられている説明書４０を取り外すことができるので、一旦突起部３２から取り外した後、説明書４０の向きを変えて再び突起部３２に引掛ける。その後、リモコンブラケット２０の保持部２４間にリモコン１を再び差し込み、リモコンブラケット２０でリモコン１を保持することにより、向きを変えた説明書４０をリモコンブラケット２０で保持する状態になる。これにより、当初視認可能だった説明書４０の面の反対側の面の記載を確認しながら、リモコン１を操作することが可能になる。
【００３８】
以上のリモコンブラケット２０は、弾力性を有することにより、リモコン１が当接した場合に固定側部材２２との距離が小さくなる開閉部３０を有している。このため、保持部２４でリモコン１を保持した場合には、開閉部３０にリモコン１が当接することにより、相対的な距離が小さくなる開閉部３０と固定側部材２２とによって説明書４０を挟持することができ、説明書４０を保持することができる。この結果、別部材を用いることなく、リモコン１を保持した状態で説明書４０を視認することができる。
【００３９】
また、固定側部材２２に突起部３２が設けられているため、開閉部３０と固定側部材２２とによって説明書４０を挟持する力が弱い場合でも、より確実に説明書４０を保持することができる。また、開閉部３０と固定側部材２２とによって説明書４０を挟持する前に、説明書４０を突起部３２に引掛けてから、保持部２４でリモコン１を保持することによって説明書４０を挟持することができるので、容易に説明書４０を保持することができる。この結果、より容易に、且つ、確実に、別部材を用いることなく、リモコン１を保持した状態で説明書４０を視認することができる。
【００４０】
なお、上述したリモコンブラケット２０では、説明書４０はリモコンブラケット２０の下方に位置した状態で保持しているが、リモコン１を保持した状態のリモコンブラケット２０で保持する説明書４０の位置は、リモコンブラケット２０の下方以外でもよい。リモコンブラケット２０に対する説明書４０の位置は、リモコン１を保持した状態で、例えば、リモコンブラケット２０の上方に位置していてもよい。保持部２４でリモコン１を保持した際に、リモコン１が開閉部３０に当接することにより開閉部３０と固定側部材２２とで説明書４０を挟持ことができれば、リモコンブラケット２０で保持する説明書４０が位置する方向は、リモコンブラケット２０の下方以外でもよい。
【００４１】
また、上述したリモコンブラケット２０では、保持部２４が有する係合部２６が、リモコン１に形成された溝部１２に入り込んだ状態でリモコン１をスライドさせ、リモコン１の当接部１４と保持部２４の係止部２８とが当接することにより、リモコン１を保持しているが、リモコン１を保持する形態は、これ以外でもよい。リモコン１を保持する保持部２４は、リモコン１を確実に保持することができ、且つ、リモコン１を保持した際にリモコン１を開閉部３０に当接させ、開閉部３０と固定側部材２２とで説明書４０を挟持させることができれば、リモコン１を保持する形態は上述した形態以外でもよい。
【００４２】
また、上述したリモコンブラケット２０では、開閉部３０と固定側部材２２とによって挟持する被挟持物として説明書４０を用いて説明しているが、被挟持物は、説明書４０以外のものでもよい。被挟持物は、リモコン１で遠隔操作をする電気製品やリモコン１が設置されている空間を使用する上での注意書きや各種の掲示など、開閉部３０と固定側部材２２とによって挟持することができ、リモコンブラケット２０でリモコン１を保持した状態で視認可能にする必要があるものであれば、説明書４０以外のものでもよい。
【００４３】
また、上述したリモコンブラケット２０では、開閉部３０と固定側部材２２とによって説明書４０を挟持することによって説明書４０を保持しているが、説明書４０は、これらで挟持する以外の手法で保持してもよい。図１０は、実施形態に係るリモコンブラケットの変形例を示す斜視図である。例えば、図１０に示すように、リモコンブラケット２０に、Ｊ字状に形成することにより説明書４０を引掛けることができるフック５０を設けることにより、説明書４０を保持してもよい。この場合、フック５０は、説明書４０を保持する場合における安定性を確保するために、リモコンブラケット２０の左右方向における両端付近の２箇所に設け、説明書４０には、引掛け穴４２をフック５０と同様に２つ形成し（図示省略）、２つの引掛け穴４２の間隔は、フック５０同士の間隔と同程度にする。また、２つのフック５０は、リモコンブラケット２０の下方側に突出するように設けることにより、リモコンブラケット２０でリモコン１を保持した場合でも、リモコンブラケット２０の下方側で説明書４０を引掛けることができるようにする。
【００４４】
さらに、この場合、フック５０は、固定側部材２２に対して回動可能に設け、固定側部材２２にフック５０を収納する収納部５２を形成するのが好ましい。これにより、フック５０を使用しない場合には、フック５０を回動させて収納部５２に収納することができる。これらのように、リモコンブラケット２０に収納可能なフック５０を設けることにより、別部材を用いることなく、リモコン１を保持した状態で説明書４０を視認することが可能になると共に、説明書４０を保持しない場合にはフック５０を収納することにより、美観を確保することができる。
【００４５】
図１１は、実施形態に係るリモコンブラケットの更なる変形例を示す斜視図である。また、説明書４０を保持する手法として、固定側部材２２に弾力性を有する開閉部３０を設けるのではなく、図１１に示すように、固定側部材２２と一体に形成される説明書保持部６０を設け、この説明書保持部６０と突起部３２とによって説明書４０を保持してもよい。この場合、説明書保持部６０は、開閉部３０と同様に突起部３２の左右両側に配設する。また、説明書保持部６０は、固定側部材２２に対して所定の距離で離間し、固定側部材２２に対して平行な平面部を有して形成することにより、固定側部材２２との間に空隙６２を設ける。さらに、説明書保持部６０は、上端のみを固定側部材２２に対して接続することにより、空隙６２は、下側と左右両側を開口させる。なお、この場合における空隙６２の大きさは、突起部３２の高さよりも小さくなっているのが好ましい。
【００４６】
この説明書保持部６０と突起部３２とによって説明書４０を保持する場合について説明すると、説明書４０には、上述した実施形態に係るリモコンブラケット２０で用いられる説明書４０と同様に、左右方向中央の上端近傍に、引掛け穴４２を形成する。また、説明書４０は、紙などの可撓性の材料によって形成されているので、引掛け穴４２が形成されている位置付近を中心に撓ませ、説明書４０を空隙６２に挿入しつつ、空隙６２の大きさよりも高さが高い突起部３２を説明書４０で覆う状態にする。この状態で、さらに説明書４０を空隙６２に挿入することにより、説明書４０の引掛け穴４２に突起部３２を通す。これにより、説明書４０を突起部３２に引掛ける。
【００４７】
この場合、突起部３２の高さは、空隙６２の大きさよりも高くなっているので、説明書４０は説明書保持部６０によって厚み方向の移動が規制されることにより、説明書４０の引掛け穴４２は、突起部３２から外れ難くなっている。これらにより、リモコンブラケット２０は、説明書４０を保持することができる。このように、リモコンブラケット２０に、固定側部材２２との間に空隙６２を形成する説明書保持部６０を設けて説明書４０を保持することにより、別部材を用いることなく、リモコン１を保持した状態で説明書４０を視認することが可能な構造を、より容易に形成することができる。
【００４８】
また、上述したリモコンブラケット２０は、当該リモコンブラケット２０で保持するリモコン１の一例として、トイレ用のリモコン１を用いて説明しているが、リモコンブラケット２０で保持するリモコン１は、トイレ用以外のリモコン１でもよい。例えば、室内外の照明用や、浴室内での各種設定や操作用、台所の給湯用、エアコン用など、電気製品を遠隔操作する際に用いるリモコン１であれば、その用途は問わない。
【産業上の利用可能性】
【００４９】
以上のように、本発明に係るリモコンブラケットは、電気製品を遠隔操作する際に用いるリモコンを保持するブラケットに有用であり、特に、リモコンの説明書を確認しながら操作するリモコンを保持するブラケットに適している。
【符号の説明】
【００５０】
１  リモコン
１０  被保持部
１２  溝部
１４  当接部
２０  リモコンブラケット
２２  固定側部材
２４  保持部
２６  係合部
２８  係止部
３０  開閉部
３２  突起部
４０  説明書
４２  引掛け穴
【図１】
2012109701.tif 000003
【図２】
2012109701.tif 000004
【図３】
2012109701.tif 000005
【図４】
2012109701.tif 000006
【図５】
2012109701.tif 000007
【図６】
2012109701.tif 000008
【図７】
2012109701.tif 000009
【図８】
2012109701.tif 000010
【図９】
2012109701.tif 000011
【図１０】
2012109701.tif 000012
【図１１】
2012109701.tif 000013